(57)【特許請求の範囲】
【請求項１】
未使用針が分離可能に取り付けられた針付き縫合糸を収容する収容ケース本体と、前記収容ケース本体に、凹凸嵌合によるヒンジを介して着脱可能に取り付けられた、容易に変形可能な平板状の蓋体とからなり、前記収容ケース本体は、１本または複数本の未使用針を一列に並べて係止可能な未使用針係止部と、前記収容ケース本体の周縁部に設けられた、前記針付き縫合糸を巻き付け可能な縫合糸巻き付け部とを有し、前記未使用針係止部は、前記収容ケース本体に形成された、前記蓋体により閉塞可能な凹陥部内に設けられ、前記蓋体は、裏面に、１本または複数本の使用済み針を一列に並べて係止し、回収可能な使用済み針係止部が設けられ、前記使用済み針係止部は、前記蓋体を閉めた際に、前記未使用針係止部と離間し、かつ、前記未使用針係止部の真上に来ない位置に設けられていることを特徴とする針付き縫合糸収容ケース。
【請求項２】
前記縫合糸巻き付け部は、前記収容ケース本体の周縁部に沿って間隔をあけて形成された複数個の係止爪を有し、前記係止爪は、前記針付き縫合糸を前記縫合糸巻き付け部に巻き付ける際に変形し、巻き付け後は、弾性力により元の状態に復帰して、縫合糸の収容ケース本体からの脱落を防止することを特徴とする、請求項１に記載の針付き縫合糸収容ケース。
【請求項３】
前記使用済み針係止部は、前記使用済み針の差し込み可能な柔軟性を有する係止部材からなっていることを特徴とする、請求項１または２に記載の針付き縫合糸収容ケース。
【請求項４】
前記係止部材は、スポンジからなっていることを特徴とする、請求項３に記載の針付き縫合糸収容ケース。
【請求項５】
前記未使用針係止部と前記使用済み針係止部の針係止箇所は、連続番号により特定されていることを特徴とする、請求項１から４の何れか１つに記載の針付き縫合糸収容ケース。
【請求項６】
前記未使用針係止部の針係止箇所を特定する前記連続番号は、前記凹陥部に付され、前記使用済み針係止部の針係止箇所を特定する前記連続番号は、前記蓋体の裏面に付されていることを特徴とする、請求項５に記載の針付き縫合糸収容ケース。
【請求項７】
前記未使用針係止部および前記使用済み針係止部の針係止箇所を特定する前記連続番号の順序は、互いに逆になっていることを特徴とする、請求項５または６に記載の針付き縫合糸収容ケース。
【発明の詳細な説明】
【技術分野】
【０００１】
この発明は、針付き縫合糸収容ケース、特に、使用済み針の回収と本数の確認が容易かつ確実に行え、さらに、使用済み針を安全かつ容易にしかも最小化した廃棄物量で廃棄することが可能な針付き縫合糸収容ケースに関するものである。
【背景技術】
【０００２】
手術時に使用される針付き縫合糸を収容するケースの一例が特許文献１（特開２００９−２６１５２７号公報）に開示されている。以下、この針付き縫合糸収容ケースを従来ケースＣという。
【０００３】
また、別の針付き縫合糸収容ケースが特許文献２（特開２０１０−５３０６号公報）に開示されている。以下、この針付き縫合糸収容ケースを従来ケースＤという。
【０００４】
先ず、従来ケースＣを、図面を参照しながら説明する。
【０００５】
図７は、従来ケースＣの使用状態を示す斜視図、図８は、上部保持部と下部保持部との間に縫合糸が入り込む通路を形成した状態を示す断面図である。
【０００６】
図７および図８に示すように、従来ケースＣは、小判形状の板状基台１１と、基台１１の周縁部に基台１１と一体的に形成された、それぞれ立ち上がり部１２ａ、１３ａと水平部１２ｂ、１３ｂを有する上部保持部１２および下部保持部１３と、基台１１の上面に形成された、複数本のスリット１４ａを有する針係止部１４とから構成されている。
【０００７】
上部保持部１２および下部保持部１３は、それぞれ基台１１の周縁部に沿って間隔をあけて形成されている。そして、上部保持部１２と下部保持部１３とは、互いに噛み合い、かつ、下部保持部１３の立ち上がり部１３ａが上部保持部１２の水平部１２ｂと対向するように形成されている。
【０００８】
上部保持部１２と下部保持部１３との間には、スリット１５が形成されている。スリット１５は、基台１１を変形しやすくする機能を有している。すなわち、針１６が分離可能に取り付けられた縫合糸１７を基台１１に巻き付ける際には、上部治具と下部治具からなる変形治具（図示せず）の上部治具と下部治具との間に基台１１を挟み込み、上部治具を押し下げることにより、図８に示すように、基台１１を表裏面方向（図８の矢印方向）に押圧変形させて、上部保持部１２と下部保持部１３との間に縫合糸１７が入り込む通路（Ｓ１）を形成するが、スリット１５は、基台１１の変形により通路（Ｓ１）を形成しやすくする機能を有している。
【０００９】
従来ケースＣによれば、以下のようにして、針１６が取り付けられた縫合糸１７を収容することができる。
【００１０】
先ず、基台１１の針係止部１４のスリット１４ａに針１６を差し込んで針１６を基台１１に固定する。次に、変形治具の上部治具と下部治具との間に基台１１を挟み込み、上部治具を押し下げ、基台１１を表裏面方向に押圧変形させて、上部保持部１２と下部保持部１３との間に縫合糸１７が入り込む通路（Ｓ１）を形成する。このようにして、上部保持部１２と下部保持部１３との間に縫合糸１７が入り込む通路（Ｓ１）を形成したら、縫合糸１７を通路（Ｓ１）を通して基台１１に、すなわち、上部保持部１２の立ち上がり部１２ａに巻き付ける。
【００１１】
基台１１への縫合糸１７の巻き付けが完了したら、変形治具を基台１１から外す。変形治具を基台１１から外すと、基台１１は、基台１１の弾性力により元の状態に復帰して、上部保持部１２と下部保持部１３との間の通路（Ｓ１）は、閉塞される。この結果、縫合糸１７は、基台１１から脱落せず、基台１１に巻き付けられた状態を維持する。
【００１２】
このようにして、針１６が取り付けられた縫合糸１７を従来ケースＣに収容することができる。
【００１３】
針１６が取り付けられた縫合糸１７を従来ケースＣから取り出すには、針１６を針係止部１４のスリット１４ａから抜き取った後、そのまま、針１６を引っ張る。これにより、針１６が取り付けられた縫合糸１７を従来ケースＣから取り出すことができる。
【００１４】
次に、従来ケースＤを、図面を参照しながら説明する。
【００１５】
図９は、従来ケースＤの使用状態を示す斜視図、図１０は、縫合糸が巻き付けられた基台を示す部分正面である。
【００１６】
図９および図１０に示すように、従来ケースＤは、小判形状の板状基台２８と、基台２８の周縁部に基台２８と一体的に形成された、それぞれ爪部２９ａ、３０ａを有する上部保持部２９および下部保持部３０と、基台２８の上面に形成された、複数本のスリット３１ａを有する針係止部３１とから構成されている。
【００１７】
上部保持部２９および下部保持部３０は、それぞれ基台２８の周縁部に沿って間隔をあけて形成されている。そして、上部保持部２９の爪部２９ａと下部保持部３０の爪部３０ａとが互いに噛み合うように形成されている。
【００１８】
従来ケースＤによれば、以下のようにして、針１６が取り付けられた縫合糸１７を収容することができる。
【００１９】
先ず、基台２８の針係止部３１のスリット３１ａに針１６を差し込んで、基台２８に固定する。次に、縫合糸１７を上部保持部２９の爪部２９ａと下部保持部３０の爪部３０ａの上に巻き付ける。爪部２９ａと爪部３０ａの上に縫合糸１７が巻き付けられると、縫合糸１７の締め付け力により爪部２９ａと爪部３０ａが内側に変形して、縫合糸１７の通路（Ｓ２）（図１０参照）が形成される結果、縫合糸１７は、基台２８の側壁に巻き付けられる。爪部２９ａと爪部３０ａは、変形後、弾性力により元の状態に復帰して、縫合糸１７の通路（Ｓ２）は、閉塞される。この結果、縫合糸１７は、基台２８から脱落せず、基台２８に巻き付けられた状態を維持する。
【００２０】
このようにして、針１６が取り付けられた縫合糸１７を従来ケースＣに収容することができる。
【００２１】
針１６が取り付けられた縫合糸１７を基台２８から取り出すには、針１６を針係止部３１のスリット３１ａから抜き取った後、そのまま、針１６を引っ張る。これにより、針１６が取り付けられた縫合糸１７を従来ケースＤから取り出すことができる。
【先行技術文献】
【特許文献】
【００２２】
【特許文献１】特開２００９−２６１５２７号公報
【特許文献２】特開２０１０−５３０６号公報
【発明の概要】
【発明が解決しようとする課題】
【００２３】
上記従来ケースＣおよび従来ケースＤによれば、針１６を取り付けた縫合糸１７の収容および取り出しが容易に行えるが、以下のような問題があった。
【００２４】
（１）手術終了後、縫合糸１７から分離した使用済みの針１６の体内への残存事故を未然に防止するために、未使用の針付き縫合糸１７と使用済みの針１６の合計の本数を計数し、手術前の本数と合致するか否かの確認を行う必要があるが、単に、使用済みの針１６を針係止部１４、３１のスリット１４ａ、３１ａに差し込んで回収するだけでは、この確認が行いづらかった。
【００２５】
（２）使用済みの針１６には、血液等が付着しており、しかも、スリット１４ａ、３１ａは、幅狭であるので、使用済みの針１６をスリット１４ａ、３１ａに差し込んで回収する操作が行いづらく、場合によっては、使用済みの針１６が従来ケースＣ、Ｄから脱落する危険性があった。
【００２６】
（３）従来ケースＣ、Ｄに収容した使用済みの針１６をケースごと廃棄する場合、使用済みの針１６が露出しているので、危険が伴う。
【００２７】
（４）使用済みの針１６、未使用の針付き縫合糸１７は、共に医療用廃棄物安全処理ボックス（商標名：シャープスコンテナ、等）に入れて処理するが、従来ケースＣ、Ｄでは、使用済みの針１６と未使用の針付き縫合糸１７の分別が行えないので、使用済みの針１６をケースごと医療用廃棄物安全処理ボックスに入れて処理せざるを得ない。従って、廃棄物量が多くなって、廃棄物処理費用が嵩む。
【００２８】
（５）従来ケースＣ、Ｄに回収された使用済みの針１６を収容すると、使用済みの針１６が未使用の針付き縫合糸１７とケースに接触するので、これらが不潔になり、この結果、未使用の針付き縫合糸１７は使用できなくなる可能性があることに加え、収容ケースの周りにある清潔な手術材料（メス、鉗子等）をも不潔にする可能性がある。そのため、ケース自体を清潔な場所（いわゆる清潔野）に置けなくなる。
【００２９】
この発明は、上述した問題を解決するためになされたものであり、使用済みの針の本数の回収と確認が容易かつ確実に行え、さらに、使用済みの針を安全かつ容易にしかも最小限の廃棄物量で廃棄することが可能な針付き縫合糸収容ケースを提供することを目的とするものである。
【課題を解決するための手段】
【００３０】
この発明は、上記課題を解決するためになされたものであり、下記を特徴とするものである。
【００３１】
請求項１記載の発明は、未使用針が分離可能に取り付けられた針付き縫合糸を収容する収容ケース本体と、前記収容ケース本体に、凹凸嵌合によるヒンジを介して着脱可能に取り付けられた、容易に変形可能な平板状の蓋体とからなり、前記収容ケース本体は、１本または複数本の未使用針を一列に並べて係止可能な未使用針係止部と、前記収容ケース本体の周縁部に設けられた、前記針付き縫合糸を巻き付け可能な縫合糸巻き付け部とを有し、前記未使用針係止部は、前記収容ケース本体に形成された、前記蓋体により閉塞可能な凹陥部内に設けられ、前記蓋体は、裏面に、１本または複数本の使用済み針を一列に並べて係止し、回収可能な使用済み針係止部が設けられ、前記使用済み針係止部は、前記蓋体を閉めた際に、前記未使用針係止部と離間し、かつ、前記未使用針係止部の真上に来ない位置に設けられていることに特徴を有するものである。
【００３２】
請求項２に記載の発明は、請求項１に記載の発明において、前記縫合糸巻き付け部は、前記収容ケース本体の周縁部に沿って間隔をあけて形成された複数個の係止爪を有し、前記係止爪は、前記針付き縫合糸を前記縫合糸巻き付け部に巻き付ける際に変形し、巻き付け後は、弾性力により元の状態に復帰して、縫合糸の収容ケース本体からの脱落を防止することに特徴を有するものである。
【００３３】
請求項３に記載の発明は、請求項１または２に記載の発明において、前記使用済み針係止部は、前記使用済み針の差し込み可能な柔軟性を有する係止部材からなっていることに特徴を有するものである。
【００３４】
請求項４に記載の発明は、請求項３に記載の発明において、前記係止部材は、スポンジからなっていることに特徴を有するものである。
【００３５】
請求項５に記載の発明は、請求項１から４の何れか１つに記載の発明において、前記未使用針係止部と前記使用済み針係止部の針係止箇所は、連続番号により特定されていることに特徴を有するものである。
【００３６】
請求項６に記載の発明は、請求項５に記載の発明において、前記未使用針係止部の針係止箇所を特定する前記連続番号は、前記凹陥部に付され、前記使用済み針係止部の針係止箇所を特定する前記連続番号は、前記蓋体の裏面に付されていることに特徴を有するものである。
【００３７】
請求項７に記載の発明は、請求項５または６に記載の発明において、前記未使用針係止部および前記使用済み針係止部の針係止箇所を特定する前記連続番号の順序は、互いに逆になっていることに特徴を有するものである。
【発明の効果】
【００３８】
この発明によれば、以下のような効果がもたらされる。
【００３９】
（ａ）未使用針係止部と使用済み針係止部とが別々に設けられ、さらに、計数の数字が互いに逆の順序で付されているので、未使用の針付き縫合糸と使用済みの針の合計の本数を計数し、手術前の本数と合致するか否かの確認が容易かつ短時間に行える。この確認は、未使用針係止部と使用済み針係止部の針係止箇所の針係止箇所を連続番号により特定することにより一目で可能となり、さらに容易かつ短時間に行える。
【００４０】
（ｂ）使用済み針係止部を、収容ケース本体に着脱可能に取り付けられた蓋体に設けることによって、使用済み針が係止された蓋体を収容ケース本体から分離して廃棄することができるので、収容ケース本体の分だけ廃棄物量が減少する。
【００４１】
（ｃ）使用済み針係止部は、蓋体の裏面に取り付けられているので、収容ケース本体の凹陥部を蓋体により閉塞することによって、使用済み針が露出するおそれがなくなる。従って、使用済み針を安全に廃棄することができる。
【００４２】
（ｄ）使用済み針係止部を使用済み針が容易に係止可能なスポンジ等の係止部材により構成することにより、使用済み針に血液等が付着していても使用済みの針の係止操作が容易かつ確実に行えるので、使用済みの針の回収時に、使用済みの針が収容ケース本体から脱落するおそれはない。
【００４３】
（ｅ）使用済みの針は、収容ケースから取り外し可能な蓋体の使用済み針係止部に係止されるため、廃棄を仮に手術に従事していないスタッフ等の第三者が行う際、感染のリスクがある使用済みの針があるものと、感染のリスクがない未使用の針付き縫合糸があるものは、蓋体と収容ケース本体であるため、容易に判断でき、安全な廃棄作業が行うことができる。また、収容ケース本体には、未使用の針付き縫合糸しかないことが分かれば、当該針付き縫合糸を収容ケース本体から取り出して、これのみを医療用廃棄物安全処理ボックス（商標名：シャープスコンテナ、等）に入れて処理することもでき、より感染のリスクが低くなる。さらに空の収容ケース本体は、一般的な医療用廃棄物として処理することができ、この分別によって廃棄物量の最小化と、廃棄物処理費用の削減にも繋がる。
【００４４】
（ｆ）使用済みの針は、収容ケース本体から離れた蓋体に回収されるので、使用済みの針が未使用の針付き縫合糸と収容ケース本体に接触するおそれはない。この結果、未使用の針付き縫合糸と収容ケース本体の清潔性が保持されると共に、収容ケース本体を清潔野、蓋体を不潔野、といったように、収容ケース本体の置き場所が制限されることがない。
【図面の簡単な説明】
【００４５】
【図１】この発明の針付き縫合糸収容ケース（本発明ケースＡ）を示す斜視図である。
【図２】蓋体を開いた、この発明の針付き縫合糸収容ケース（本発明ケースＡ）を示す斜視図である。
【図３】この発明の針付き縫合糸収容ケース（本発明ケースＡ）の使用状態を示す斜視図である。
【図４】使用済み針が係止された、この発明の針付き縫合糸収容ケース（本発明ケースＡ）の蓋体を裏から見た斜視図である。
【図５】この発明の他の針付き縫合糸収容ケース（本発明ケースＢ）のカバーを示す斜視図である。
【図６】蓋体を開いた、この発明の他の針付き縫合糸収容ケース（本発明ケースＢ）を示す斜視図である。
【図７】従来ケースＣの使用状態を示す斜視図である。
【図８】上部保持部と下部保持部との間に縫合糸が入り込む通路を形成した状態を示す断面図である。
【図９】従来ケースＤの使用状態を示す斜視図である。
【図１０】縫合糸が巻き付けられた基台を示す部分正面である。
【発明を実施するための形態】
【００４６】
この発明の針付き縫合糸収容ケースの一実施態様を、図面を参照しながら説明する。
【００４７】
図１は、この発明の針付き縫合糸収容ケースを示す斜視図、図２は、蓋体を開いた、この発明の針付き縫合糸収容ケースを示す斜視図、図３は、この発明の針付き縫合糸収容ケースの使用状態を示す斜視図、図４は、使用済み針が係止された、この発明の針付き縫合糸収容ケースの蓋体を裏から見た斜視図、図５は、この発明の他の針付き縫合糸収容ケースのカバーを示す斜視図、図６は、蓋体を開いた、この発明の他の針付き縫合糸収容ケースを示す斜視図である。
【００４８】
図１から図４に示すように、この発明の針付き縫合糸収容ケース（以下、本発明ケースＡという。）は、針付き縫合糸３（図３参照）を収容する長方形状の収容ケース本体１と、収容ケース本体１にヒンジ２ａにより開閉可能かつ着脱可能に取り付けられた蓋体２とから構成されている。
【００４９】
本発明ケースＡを、例えば、比較的容易に変形可能なポリプロピレン樹脂製とし、ヒンジ２ａを、収容ケース本体１側に形成した凹部内（図示せず）に、蓋体２側に形成した突部（図示せず）を嵌め込んで収容ケース本体１と蓋体２とを開閉可能に連結する構造からなるものとすれば、収容ケース本体１に対して蓋体２を容易に着脱することができる。
【００５０】
針付き縫合糸３は、縫合糸３ａと縫合糸３ａの一端に未使用針４ａが縫合糸３ａに対して分離可能に取り付けられたものからなっている。
【００５１】
収容ケース本体１は、１本または複数本（この例では、１０本）の針付き縫合糸３の未使用針４ａを一列に並べて係止可能な未使用針係止部５と、収容ケース本体１の周縁部に設けられた縫合糸巻き付け部６とを有している。
【００５２】
収容ケース本体１には、蓋体２により閉塞可能な凹陥部７が形成され、未使用針係止部５は、凹陥部７内に収容ケース本体１の長手方向に沿って設けられている。未使用針係止部５には、図３に示すように、未使用針４ａを係止する複数本（この例では、１０本）のスリット５ａが間隔をあけて平行に形成されている。
【００５３】
未使用針係止部５近傍の凹陥部７の表面には、未使用針係止部５の針係止箇所を特定する番号が連続して付されている。すなわち、未使用針係止部５の各スリット５ａ近傍の凹陥部７の表面には、連続番号が付されている。この例では、０、９、８、７、６、５、４、３、２、１の順序で番号が付されている。なお、０ではなく１０と付しても良い。
【００５４】
蓋体２の裏面には、１本または複数本（この例では、１０本）の使用済み針４ｂを一列に並べて係止し、回収可能な使用済み針係止部８が未使用針係止部５と平行に設けられている。使用済み針係止部８は、蓋体２を閉めた際に、未使用針係止部５と干渉しない位置に設けられている。
【００５５】
使用済み針係止部８は、容易に差し込んで係止可能な柔軟性を有するスポンジ（ポリエチレンまたはポリウレタン製スポンジ）等の係止部材からなっている。使用済み針係止部８近傍の蓋体２の裏面には、使用済み針係止部８への使用済み針４ｂの針係止箇所を特定する番号が連続して付されている。この例では、凹陥部７に付された番号とは逆に、１、２、３、４、５、６、７、８、９、０の順序で番号が付されている。なお、０ではなく１０と付しても良い。
【００５６】
縫合糸巻き付け部６は、収容ケース本体１の周縁部に形成され、この周縁部に沿って間隔をあけて形成された複数個の係止爪６ａを有している。係止爪６ａは、上下に互いに噛み合うように形成され、針付き縫合糸３を縫合糸巻き付け部６に巻き付ける際に変形し、巻き付け後は、弾性力により元の状態に復帰して、針付き縫合糸３が収容ケース本体１から脱落しないようになっている。
【００５７】
係止爪６ａの変形のさせ方は、針付き縫合糸３の他端を巻き付け治具（図示せず）により把持し、巻き付け治具により係止爪６ａを変形させながら針付き縫合糸３を縫合糸巻き付け部６に巻き付ける方法、あるいは、前述した従来ケースＣのように、針付き縫合糸３係止を爪６ａに巻き付けたときの圧力により変形させる方法の何れであっても良い。
【００５８】
本発明ケースＡによれば、以下のようにして、針付き縫合糸３を収容することができる。
【００５９】
先ず、図２に示すように、蓋体２を開く。次に、図３に示すように、針付き縫合糸３の未使用針４ａを、全ての未使用針係止部５のスリット５ａに差し込んで、収容ケース本体１に係止する。次に、例えば、針付き縫合糸３の他端を巻き付け治具（図示せず）により把持し、巻き付け治具により縫合糸巻き付け部６の係止爪６ａを変形させながら縫合糸３ａを縫合糸巻き付け部６に巻き付ける。
【００６０】
このようにして、針付き縫合糸３を本発明ケースＡに収容することができる。
【００６１】
針付き縫合糸３を本発明ケースＡから取り出すには、未使用針４ａを未使用針係止部５のスリット５ａから抜き取った後、そのまま、未使用針４ａを引っ張る。これにより、針付き縫合糸３を本発明ケースＡから取り出すことができる。この際、未使用針４ａのスリット５ａからの抜き取りは、番号０から順次、行う。
【００６２】
針付き縫合糸３から分離した使用済み針４ｂは、図３に示すように、蓋体２の使用済み針係止部８に係止して、回収する。使用済み針係止部８の係止操作は、使用済み針係止部８がスポンジ等の柔軟性を有する樹脂により構成されているので、容易に差し込んで確実に係止することができる。この際、使用済み針４ｂの使用済み針係止部８への係止は、番号１から順次、行う。
【００６３】
このように、針付き縫合糸３の取り出しと回収を、付された番号順に行うことによって、未使用の針付き縫合糸３と使用済み針４ｂの合計の本数を計数し、手術前の本数と合致するか否かの確認が一目で可能となる。すなわち、図３に示す例では、未使用の針付き縫合糸３の本数は８本であり、使用済み針４ｂの本数は２本であることは、数えなくても付された番号から一目で分かる。従って、合計の本数が手術前の１０本と合致するか否かの確認が容易かつ短時間で確実に行える。
【００６４】
しかも、使用済み針係止部８は、収容ケース本体１に着脱可能に取り付けられた蓋体２に設けられているので、使用済み針４ｂが係止された蓋体２を収容ケース本体１から分離して廃棄することができるので、収容ケース本体１の分だけ廃棄物量が減少する。
【００６５】
また、使用済み針係止部８は、蓋体２の裏面に取り付けられているので、収容ケース本体２の凹陥部７を蓋体２により閉塞することによって、使用済み針４ｂが露出するおそれがなくなる。従って、使用済み針４ｂをケースごと廃棄する場合には、安全に廃棄することができる。
【００６６】
さらに、使用済み針係止部８を使用済み針４ｂが容易に係止可能なスポンジ等の係止部材により構成することにより、使用済み針４ｂに血液等が付着していても使用済みの針４ｂの係止操作が容易かつ確実に行える。従って、使用済みの針４ｂの回収時に、使用済みの針４ｂが収容ケース本体１から脱落するおそれはない。
【００６７】
次に、この発明の他の針付き縫合糸収容ケースを、図面を参照しながら説明する。
【００６８】
図５は、この発明の他の針付き縫合糸収容ケースのカバーを示す斜視図、図６は、図６は、蓋体を開いた、この発明の他の針付き縫合糸収容ケースを示す斜視図である。なお、図５および図６において、図１から図４におけると同一番号は、同一物を示す。
【００６９】
図５および図６に示すように、この発明の他の針付き縫合糸収容ケース（以下、本発明ケースＢという。）は、上記本発明ケースＡの収容ケース本体１を蓋体２付きカバー９により覆ったもので構成され、蓋体２付きカバー９は、収容ケース本体１に嵌め込まれる。この他の構成および作用は、本発明ケースＡと同様である。
【００７０】
本発明ケースＢによれば、収容ケース本体１の縫合糸巻き付け部６をカバー９により覆うことができるので、縫合糸３ａの縫合糸巻き付け部６からの脱落をより確実に防止することができる。
【００７１】
なお、上記例は、何れも、蓋体２が１つの場合であるが、蓋体２を２つ以上に分けても良い。このように、蓋体２を分けることによって、回収場所を２つ以上に分けることができる。例えば、手術部位、手技および手術室の都合上、回収する場所が異なる方が便利な場合がある。
【符号の説明】
【００７２】
１：収容ケース本体
２：蓋体
２ａ：ヒンジ
３：針付き縫合糸
３ａ：縫合糸
４ａ：未使用針
４ｂ：使用済み針
５：未使用針係止部
５ａ：スリット
６：縫合糸巻き付け部
６ａ：係止爪
７：凹陥部
８：使用済み針係止部
９：カバー
１１：基台
１２：上部保持部
１２ａ：立ち上がり部
１２ｂ：水平部
１３：下部保持部
１３ａ：立ち上がり部
１３ｂ：水平部
１４：針係止部
１４ａ：スリット
１５：スリット
１６：針
１７：縫合糸
【図１】
0005989392.tif 000002
【図２】
0005989392.tif 000003
【図３】
0005989392.tif 000004
【図４】
0005989392.tif 000005
【図５】
0005989392.tif 000006
【図６】
0005989392.tif 000007
【図７】
0005989392.tif 000008
【図８】
0005989392.tif 000009
【図９】
0005989392.tif 000010
【図１０】
0005989392.tif 000011